(57)【要約】【課題】従来の刈払機用の原動機付き長柄の先端部に、高機能な刈払装置ヘッド等、各種の作業装置ヘッドが取り付けられるようにする。【解決手段】長柄４１を、長柄装着部材６１を介して作業装置ヘッドの後部上方に、上下高さの調節と前後の傾きの向きの調節とが自在に装着した。また、原動機付き長柄の前端部４５から突出する出力軸先端部５１ａと作業装置ヘッド１の入力軸２０の上部２０ｂとを、接続部材７０を介して動力接続した。【選択図】図１１
2017018050.tif 000002
【特許請求の範囲】
【請求項１】
原動機付き長柄の先端部に取り付けることが可能な作業装置ヘッドであって、
前記作業装置ヘッド側のハウジングの後部と傾斜姿勢にある長柄の前端近傍箇所とを接続する長柄装着部材と、
傾斜姿勢にある長柄の先端部に設けられているケース内から直下方に突出する出力軸先端部と前記ハウジング内に直立姿勢で支持された入力軸の上部とを回転動力の伝達を可能に接続させる接続部材と、を備え、
前記入力軸の上部は前記ハウジングの上方に突出する位置にあり、
前記接続部材は上板部を有し、該上板部の中央には前記出力軸先端部に取り付けるための開孔部が設けられ、且つ、該上板部の縁部から下方に向けて突出部が設けられ、
該突出部と前記入力軸の上部とは、互いに係合し合って回転動力の伝達が可能な接続構造を有していることを特徴とする作業装置ヘッド。
【請求項２】
前記接続構造は、前記突出部と前記入力軸の上部とにおける、角軸部と角穴とによる嵌合、スプライン嵌合、ボルト留め、前記突出部と前記入力軸の上部の双方に対向して設けたフランジ部どうしのクランプ留め、該フランジ部どうしのボルト留め、のいずれかである、請求項１に記載の作業装置ヘッド。
【請求項３】
前記突出部は、前記上板面の周縁部から下方に向けたねじ筒部で構成され、
前記入力軸の上部も筒部で構成され、
双方の筒部は、ねじ嵌合により連れ回り可能な接続構造を有し、
前記接続部材の上部外側面と前記入力軸の上端部の外側面には、このねじ嵌合
による締め付け操作のための操作部が設けられ、
このねじ嵌合を深くする回転方向のねじ溝の向きは、前記出力軸の動力回転方向と逆向きである、請求項１に記載の作業装置ヘッド。
【請求項４】
前記長柄装着部材は、前記ハウジングから独立したアームで構成され、
前記ハウジングの後部には、該長柄装着部材の一端部である被装着部を装着する装着部が突出して設けられ、
該長柄装着部の他端部には、前記長柄の前端近傍部に取り付ける取り付け部が設けられ、
前記装着部と前記被装着部は、双方に設けた長孔どうしの組み合わせにより交差した複数箇所に締結用軸部材を挿通させて該締結用軸部材の締結により、前記長柄装着部材の上下高さの調整と、前後位置の調整と、若干の上下回動角の構成されている、請求項１乃至３のいずれかの項に記載の作業装置ヘッド。
【請求項５】
請求項１乃至４のいずれかの項に記載の構成を備え、前記ハウジング内において前記入力軸から得られた回転動力が減速され、且つ、この回転動力が正回転ギヤと逆回転ギヤとの組み合わせにより正回転と逆回転とに分配されて、前記ハウジング下方に配設した２つの回転刃を互いに逆回転させるように構成されていることを特徴とする刈払装置ヘッド。
【発明の詳細な説明】
【技術分野】
【０００１】
本発明は、刈払機用の原動機付き長柄の前端部に所望の作業装置ヘッドを取り付けることが可能な、作業装置ヘッドと、刈払装置ヘッドに関する。
【背景技術】
【０００２】
従来型の刈払機として、原動機付き長柄の前端部にギヤケースが設けられ、このギヤケース内から下方に突出した出力軸前端部に１枚の回転刃（草刈り用チップソー）が取り付けられた機種があり、この種の機種は特許文献１等にも開示されており、この種の機種が最も普及している。この他にも、ナイロンコードを回転させて草を刈る機種も知られている。
【０００３】
しかしながら、１枚の回転刃を備えた刈払機やナイロンコードを備えた刈払機は、刈払い作業中に小石や砂粒、土等を飛び散らせることが多い。このため、多くの刈払い作業者は保護メガネを着用する。また、道路脇や駐車場の脇等で刈払い作業をすると、飛び散った小石や砂粒等が自動車に当たり、トラブルの原因になることもある。
【０００４】
小石や砂粒、土等を飛び散らせない、互いに逆回転する２枚の回転刃を備えた高機能な刈払機も開発されており、特許文献２等にも開示されている。
【０００５】
しかしながら、１枚の回転刃を備えた刈払機の所有者が新たに高機能な２枚の回転刃を備えた刈払機を欲しいと願っても、購入コストの面で購入することを躊躇する人も少なくない。購入した場合でも、従来から使ってきた刈払機が不要になる。これは刈払機だけに限らず、原動機付き長柄を備えた他の作業装置の場合も同様である。
【０００６】
刈払機用の原動機付き長柄は、原動機としてエンジン又は電動モータを使用しているために、刈払機の部品価格の大きな部分を占め、故障も少なく長年使用できる。このため、出願人は、従来から使ってきた１枚の回転刃を備えた刈払機の原動機付き長柄に簡単に取り付けることができる、作業装置ヘッド、２枚の回転刃を互いに逆回転させる刈払装置ヘッドを発明するに至った。
【先行技術文献】
【特許文献】
【０００７】
【特許文献１】実開昭５８−５９４１４号公報の第１図、第２図
【特許文献２】特開２０１０−６３４５２号公報の図１、図２
【発明の概要】
【発明が解決しようとする課題】
【０００８】
本発明が解決する課題は、２枚の回転刃を互いに逆回転させる刈払装置ヘッド等の作業装置ヘッドを、従来の１枚の回転刃を備えた刈払機等に用いられている原動機付き長柄の前端部に、簡単に取り付けることができるようにする点と、低コストで新たな刈払装置ヘッド等の作業装置ヘッドが導入できる点にある。
【課題を解決するための手段】
【０００９】
請求項１に係る作業装置ヘッドは、次の構成を備える。
（１）原動機付き長柄の先端部に取り付けることが可能な作業装置ヘッドである。
（２）前記作業装置ヘッド側のハウジングの後部と傾斜姿勢にある長柄の前端近傍箇所とを接続する長柄装着部材を備えている。
（３）傾斜姿勢にある長柄の先端部に設けられているギヤケース内から直下方に突出する出力軸先端部と前記ハウジング内に直立姿勢で支持された入力軸の上部とを回転動力の伝達を可能に接続させる接続部材とを備えている。
（４）前記入力軸の上部は前記ハウジングの上方に突出する位置にある。
（５）前記接続部材は上板部を有している。
（６）該上板部の中央には前記出力軸先端部に取り付けるための開孔部が設けられている。
（７）該上板部の縁部から下方に向けて突出部が設けられている。
（８）該突出部と前記入力軸の上部とは、互いに係合し合って回転動力の伝達が可能な接続構造を有している。
【００１０】
請求項２に係る作業装置ヘッドは、次の構成を備える。
（１）請求項１に記載の各構成を備えている。    
（２）前記接続構造は、前記突出部と前記入力軸の上部とにおける、角軸部と角穴とによる嵌合、スプライン嵌合、ボルト留め、前記突出部と前記入力軸の上部の双方に対向して設けたフランジ部どうしのクランプ留め、該フランジ部どうしのボルト留め、のいずれかである。
【００１１】
請求項３に係る作業装置ヘッドは、次の構成を備える。
（１）請求項１又は２に記載の各構成を備えている。
（２）前記突出部は、前記上板面の周縁部から下方に向けたねじ筒部で構成されている。
（３）前記入力軸の上部も筒部で構成されている。
（４）双方の筒部は、ねじ嵌合により連れ回り可能な接続構造を有している。
（５）前記接続部材の上部外側面と前記入力軸の上端部の外側面には、このねじ嵌合による締め付け操作のための操作部が設けられている。
（６）このねじ嵌合を深くする回転方向のねじ溝の向きは、前記出力軸の動力回転方向と逆向きである。
【００１２】
請求項４に係る作業装置ヘッドは、次の構成を備える。
（１）請求項１乃至３のいずれかの項に記載の各構成を備えている。
（２）前記長柄装着部材は、前記ハウジングから独立したアームで構成されている。
（３）前記ハウジングの後部には、該長柄装着部材の一端部である被装着部を装着する装着部が突出して設けられている。
（４）該長柄装着部の他端部には、前記長柄の前端近傍部に取り付ける取り付け部が設けられている。
（５）前記装着部と前記被装着部は、双方に設けた長孔どうしの組み合わせにより交差した複数箇所に締結用軸部材を挿通させて該締結用軸部材の締結により、該長柄装着部材の上下高さの調整と、前後位置の調整と、若干の上下回動角の調整とを行った装着が可能となるように調構成されている。
【００１３】
請求項５に係る刈払装置ヘッドは、次の構成を備える。
（１）請求項１乃至４のいずれかの項に記載の各構成を備えている。
（２）前記ハウジング内において前記入力軸から得られた回転動力が減速され、且つ、この回転動力が正回転ギヤと逆回転ギヤとの組み合わせにより正回転と逆回転とに分配されて、前記ハウジング下方に配設した２つの回転刃を互いに逆回転させるように構成されている。
【発明の効果】
【００１４】
請求項１に係る作業装置ヘッドによれば、前記作業装置ヘッド側のハウジングの後部と傾斜姿勢にある長柄の前端近傍箇所とを接続する長柄装着部材を備え、前記長柄の先端部にもうけられているケース部直下方に突出する出力軸先端部と前記ハウジング内に直立姿勢で支持されている入力軸の上部とを回転動力の伝達を可能に接続させる接続部材とを備え、しかも、該突出部と前記入力軸の上部とは、互いに係合し合って回転動力の伝達が可能な接続構造を有し、前記接続部材は出力軸先端部の形状（例えば、スプライン形）等を問わずに取り付けることが出来るタイプであるため、従来の刈払機に用いられている電動機付き長柄の殆どの機種にこの作業装置ヘッドを取り付けることが出来る。
【００１５】
請求項２に係る作業装置ヘッドによれば、前記突出部と前記入力軸の上部とによる動力接続を、角軸部と角穴とによる嵌合、スプライン嵌合、ボルト留め、前記突出部と前記入力軸の上部の双方に対向して設けたフランジ部どうしのクランプ留め、該フランジ部どうしのボルト留め、のいずれかで簡単且つ確実に行うことが出来る。
【００１６】
請求項３に係る作業装置ヘッドによれば、前記突出部と前記入力軸の上部とによる動力接続を簡単な操作で確実に行えるねじ嵌合で行っており、しかも、ねじ嵌合を深くする締付け回転方向が動力回転と反対の逆ねじであるため、動力回転によってねじ嵌合が浅くなる方向に連れ回りしない。
【００１７】
請求項４に係る作業装置ヘッドによれば、前記長柄装着部材が前記ハウジングの後部に設けられている装着部に取り付けることができる独立したアームタイプであるため、該ハウジングの製作が容易であり、前記作業装置ヘッドを梱包、搬送、保管に適したコンパクトな形状にすることが出来る。しかもこの装着部に、上下高さの調整と、前後位置の調整と、若干の上下回転角の調整とを行った装着ができるため、各種の原動機付き長柄に合わせた装着が行える。
【００１８】
請求項５に係る作業装置ヘッドによれば、上記の各効果を有する、２枚の回転刃を互いに逆回転させる、小石や土等を飛散させない刈払装置ヘッドにすることが出来る。
【図面の簡単な説明】
【００１９】
【図１】（ａ）〜（ｅ）はいずれも本発明に係る原動機付き長柄と作業装置ヘッドの取付け方法の採用例を示した斜視図。
【図２】（ａ）〜（ｃ）はいずれも原動機付き長柄を機種ごとに示した側面図。
【図３】（ｂ）は１枚の回転刃を取り付けた従来型の刈払機の前部を示した部分側面断面図、（ａ）はこの刈払機から回転刃とローラーを取り外して示した部分側面断面図、（ｃ）は装着構造の他例を示した部分側面断面図。
【図４】原動機付き長柄の前端部を上下２枚の回転刃を備えた刈払装置ヘッドに接続する前の状態を示した斜視図。
【図５】（ａ）は原動機付き長柄の前端部に接続部材を取り付けた状態を示した側面断面図、（ｂ）は装着構造の他例を示した部分側面断面図。
【図６】（ａ）は接続部材を示した平面図、（ｂ）は同じく正面図、（ｃ）は同じく底面図、（ｄ）は図６（ｂ）におけるＡ−Ａ断面図。
【図７】（ａ）は入力軸を示した平面図、（ｂ）は同じく正面図、（ｃ）は同じく底面図、（ｄ）は図７（ｂ）におけるＢ−Ｂ断面図。
【図８】接続部材を介した出力軸前端部と入力軸の上端部との取付け構造を示した断面図。
【図９】（ａ）は接続部材と入力軸に設けられている操作部の締め付け操作方法を示した斜視図、（ｂ）はその一部断面部分を含む正面図。
【図１０】（ａ）〜（ｃ）は何れも長柄装着部材とその取り付け構造個所を示した斜視図。
【図１１】原動機付き長柄の前端部に刈払装置ヘッドを取り付けた状態を示した部分側面断面図
【図１２】原動機付き長柄の前端部に刈払装置ヘッドを取り付けた状態を示した斜視図。
【図１３】（ａ）は原動機付き長柄の前端部に刈払装置ヘッドを取り付けた状態を示した側面断面図、（ｂ）は刈払装置ヘッド内の動力伝達構造を示した平面断面図。
【図１４Ａ】（ａ）は他形状例１の接続部材と入力軸とによる接続構造を示した側面断面図、（ａ１）はその接続部材と入力軸を示した斜視図、（ｂ）は他形状例２の接続部材と入力軸とを示した斜視図。
【図１４Ｂ】（ｃ）は他形態例３による接続部材と入力軸とを示した斜視図、（ｄ）は他形態例４による接続部材と入力軸とを示した斜視図、（ｅ）は他形態例４による接続部材と入力軸とを示した斜視図。
【図１４Ｃ】（ｆ）は他形状例５の接続部材と入力軸とによる接続構造を示した側面断面図、（ｆ１）はその接続部材と入力軸を示した斜視図、（ｇ）は他形状例６の接続部材と入力軸とによる接続構造を示した側面断面図、（ｇ１）はそのＤ−Ｄ断面図、（ｈ）は他形状例７の接続部材と入力軸とによる接続構造を示した側面断面図、（ｈ１）はそのＥ−Ｅ断面図。
【図１４Ｄ】（ｉ）は他形状例８の接続部材と入力軸とによる接続構造を示した側面断面図、（ｉ１）はその接続部材と入力軸を示した斜視図、（ｊ）は他形状例９の接続部材と入力軸とによる接続構造を示した側面断面図、（ｊ１）はその平面図。
【発明を実施するための形態】
【００２０】
以下、本発明に係る作業装置ヘッドと、刈払置ヘッドの実施例について詳述する。
【実施例】
【００２１】
＜本発明が適用可能な作業装置ヘッド＞
図１（ａ）〜（ｅ）に本発明が適用可能な各作業装置ヘッドが例示されている。
図１（ａ）では、互いに逆回転する２枚の回転刃３１，３２をハウジング２の下方に備えた刈払装置ヘッド１が、原動機付き長柄４０の先端部に取り付けられている。
図１（ｂ）では、回転ブラシ装置ヘッド１００が、原動機付き長柄４０の先端部に取り付けられている。
図１（ｃ）では、ブロア装置ヘッド２００が、原動機付き長柄４０の先端部に取り付けられている。
図１（ｄ）では、片刃バリカン装置ヘッド３００が、原動機付き長柄４０の先端部に取り付けられている。
図１（ｅ）では、両刃バリカン装置ヘッド４００が、原動機付き長柄４０に取り付けられている。
これらの作業装置ヘッド１、１００，２００，３００，４００は、以下の点で共通する。
（１）ハウジング２から後方に向けた長柄装着部材６１を介して、長柄４１の前端近傍部に装着されている。
（２）原動機４２から出力した回転動力を、ハウジング２内に伝達させている。
【００２２】
＜原動機付き長柄４０の形態例＞
図２（ａ）〜（ｃ）に本発明の適用対象となる原動機付き長柄が示されている。原動機付き長柄４０は、従来型の刈払機から回転刃とローラーと飛散防止カバーを取り外したものであり、次の機種が一般に広く知られている。
図２（ａ）に示す原動機付き長柄４０Ａ：長柄４１の後端部に原動機４２の１種であるエンジン等が搭載されている。図示していないがエンジンを背負い型の機種であってもよい。
図２（ｂ）に示す原動機付き長柄４０Ｂ：長柄４１の後端部に原動機４２の１種である家庭用電源、バッテリーを駆動電源とする電動モータが搭載されている。
図２（ｃ）に示す原動機付き長柄４０Ｃ：長柄４１の前端部に原動機４２の１種である家庭用電源、バッテリーを駆動電源とする電動モータを内装したケース部５０が装着されている。
【００２３】
原動機付き長柄４０Ａ，４０Ｂ，４０Ｃは、次の点で共通する。
（１）長柄４１が前下がりの傾斜した姿勢にある。
（２）長柄４１の前端部に装着されているケース部５０内から直下方に出力軸先端部５１ａが突出している。
前段落で示した作業装置ヘッド１，１００，２００，３００，４００は、以上の共通点がある原動機付き長柄４０Ａ，４０Ｂ，４０Ｃの前端部に取り付けることができる。尚、飛散防止カバー４６は不要になるため、取り外される
【００２４】
＜ケース部５０の内部構造＞
図３（ａ）に従来型の刈払機の前部が示されている。
図３（ａ）に示すように、前下がりの傾斜姿勢にある長柄４１の前端部が、ケース部５０の後部から後方に突出する装着部５０ａに装着されている。ケース部５０内には、駆動軸４４の前端部に装着された出力側傘歯車４７と、直立姿勢で円滑回転自在に支持された出力軸５１と、出力軸５１に連れ回り可能に装着されて出力側傘歯車４７と噛合する入力側傘歯車５２とが配設されている。
【００２５】
ケース部５０内から下方に出力軸先端部５１ａが突出しており、出力軸先端部５１ａには、ケース部５０を下方からカバーする回転板５３が連れ回り可能に取り付けられている。回転刃３０は、回転板５３の中央下面から下方に若干突出する突出部５３ａに突入した状態で保持され、その下方から出力軸先端部５１ａに取り付けられたローラー（安定板）５６により下方から挟み付けられている。ローラー５６は出力軸先端部５１ａの下面に装着したボルト５４とナット５７で抜け止めされており、図３（ｂ）に示すように、ボルト５４とナット５７を取り外すと、ローラー５６と回転刃３０は抜け外れる。
【００２６】
図３（ｃ）に示すように、出力軸先端部５１ａに取り付けたナット５７で、ローラー５６と回転刃３０の下から挟み付ける機種もある。
刈払装置ヘッドを原動機付き長柄の先端部に取り付ける場合には、いずれの機種においても、回転刃３０とローラー５６は取り外され、ローラーは刈払装置ヘッド用として再装着される。
【００２７】
＜刈払装置ヘッド＞
次に、２枚の回転刃を備えた刈払装置ヘッド（以下、刈払装置ヘッドと略称する。）を、図３（ａ）に示す原動機付き長柄の前端部４５に取り付ける場合を例に挙げて詳述する。
図４に示す刈払装置ヘッド１は、原動機付き長柄の前端部４５に取り付けるための構造と、付属品とを備えている。この取り付けは、回転動力の接続と、長柄装着部材を介した取り付けと、により行われる。
【００２８】
＜回転動力の接続をさせる各部材、接続構造と接続方法＞
回転動力の接続は、出力軸先端部５１ａと、刈払装置ヘッド１のハウジング２内に支持された入力軸２０とを、接続部材７０を介して、連れ回り可能に接続させることにより行われる。
【００２９】
＝接続部材７０＝
図４及び図５（ａ）に示すように、接続部材７０は、ケース部５０から下方に突出する出力軸先端部５１ａに連れ回り可能に取り付けられる。
図４、図５、図６（ａ）〜（ｄ）に示す接続部材７０は、円形の上板部７０ａと、上板部７０ａの周縁部に略沿う個所から下方に延出するねじ筒部（突出部に相当する。）７０ｂと、上板部７０ａの周縁部から外方向に延出して上方に起立する平面視六角形状を有する操作部７０ｃとを有し、上板部７０ａ中央に開孔部７０ｄが設けられた一体形成品である。ねじ筒部７０ｂは外周面にねじ溝７０ｅがある外ねじタイプである。操作部７０ｃはスパナ工具（不図示）の口を係合させるためにあり、開孔部７０ｄは接続部材７０を出力軸先端部５１ａに嵌め入れるためにある。
【００３０】
図４では装着部５ｂに長柄装着部材６１が取り付けられた状態で示されているが、消費者が刈払装置ヘッド１を購入した段階では、長柄装着部材６１は取り外されている。このため、刈払装置ヘッド１はコンパクトな状態で梱包、搬送、保管が出来る。上述した形状の接続部材７０は好適とされる一例であり、他の形状であってもよい。これについては後述するが、以下では上述した形状の接続部材７０を例に挙げて説明する。
【００３１】
＝接続部材７０の取付構造＝
接続部材７０は、図４に示すように、出力軸先端部５１ａから一旦ボルト５４とワッシャー５５を取り外し、この後、図５（ａ）に示すように、出力軸先端部５１ａに嵌め入れ、ボルト５４とワッシャー５５で下方から押さえ付けて、出力軸先端部５１ａと連れ回りするように取り付けられる。
【００３２】
＝接続部材７０の取付構造の他例＝
図５（ｂ）に示すように、接続部材７０を、出力軸先端部５１ａに取り付けたワッシャー５５とナット５７で押さえ付けて、出力軸先端部５１ａと連れ回りするように取り付けた機種もある。
【００３３】
＝入力軸２０＝
図４に示すように、入力軸２０は、２枚の回転刃３１，３２を互いに逆回転させる回転動力入力軸であり、入力軸２０の上部２０ｂはハウジング２の上面から上方に突出している。図４に示す刈払装置ヘッド１では、ハウジング２の大部分を占めるハウジング本体３の上面後にマウント部材５が装着されている。入力軸２０の上部２０ｂは、このマウント部材５の上面に設けられている開口部（不図示）から上方に突出している。図４に示す刈払装置ヘッド１では、ハウジング本体３と、ハウジング本体３を下方から蓋をする底板４と、マウント部材５とが組み付けられて、ハウジング２が構成されている。
【００３４】
図７（ａ）〜（ｄ）に示す入力軸２０は、軸部２０ａと、軸部２０ａの上方に位置する有底円筒形状を有する大径の上部２０ｂとにより構成されている。上部２０ｂには、上端縁部から外方向に広がる平面視六角形状の外形を有する操作部２０ｃが設けられ、筒内側となる開口部２０ｄの内周面にねじ溝２０ｅが形成されている。開口部２０ｄは、図５（ａ）（ｂ）及び図６（ａ）〜（ｄ）に示す接続部材７０のねじ筒部７０ｂがねじ嵌合を伴って深く突入する大きさと深さがある。
【００３５】
＝接続部材７０と入力軸２０との接続＝
図５（ａ）に示す出力軸先端部５１ａに取り付けた接続部材７０と、図４に示す位置にある入力軸２０の上部２０ｂとによる動力接続は、図８（ａ）に示すように、接続部材７０のねじ筒部７０ｂを入力軸２０側の開口部２０ｄ内に深く螺入させることにより行われる。ねじ筒部７０ｂの螺入が深くなると、動力伝達が確実に行われ、出力軸先端部５１ａから入力軸２０の上部２０ｂに至る接続が強固になり、接続姿勢が安定する。
【００３６】
＝双方のねじ溝２０ｅ，７０ｅの向き＝
ねじ筒部７０ｂを開口部２０ｄ内に深く螺入させる回転方向のねじ溝２０ｅ，７０ｅの向きは、出力軸５１の駆動回転方向と逆向き（逆ねじ）である。このため、駆動による出力軸５１の回転によってねじ筒部７０ｂの螺入が浅くなることはなく、駆動による出力軸５１の回転はこの螺入を更に確（しっか）りさせる。
【００３７】
＝ねじ筒部７０ｂの螺入方法＝
ねじ筒部７０ｂの螺入は、接続部材７０側の操作部７０ｃと、入力軸２０側の操作部２０ｃとを操作して行う。
この操作は、次の３通りがあり、何れの操作で行ってもよい。
（１）上記螺入を進める方向に双方の操作部７０ｃ，２０ｃを互いに逆回転方向に操作する。
（２）上記螺入を進める方向に接続部材７０側の操作部７０ｃを回転操作し、この操作に伴う入力軸２０の連れ回りを止める操作をする。
（３）上記螺入を進める方向に入力軸２０側の操作部２０ｃを回転操作し、この操作に伴う接続部材７０の連れ回りを止める操作をする。
【００３８】
＝双方の操作部７０ｃ，２０ｃの形状例と操作方法＝
上述した六角形状の操作部２０ｃ，７０ｃの操作は、図９（ａ）（ｂ）に示すように、入力軸側の操作部２０ｃにスパナ工具Ｓ２の口を当て、接続部材側の操作部７０ｃにスパナ工具Ｓ１の口を当てて、双方のスパナ工具Ｓ１，Ｓ２を操作して行う。この操作は前々段落に記載の３通りの何れかの操作で行う。操作部２０ｃ，７０ｃの操作による動力接続は、次に述べる長柄装着部材を介した取り付け作業を途中まで進めた段階で行うと、確実且つ簡単に行える。
【００３９】
＜長柄装着部材の取り付け＞
＝装着部５ｂ＝
図４及び図１０（ａ）〜（ｃ）に示すように、マウント部材５の後端部から後上方には、長柄装着部材６１の一端部（下端部）である被装着部６１ａを装着する部分になる装着部５ｂが、突出して一体形成されている。装着部５ｂの片側面は、長柄装着部材６１の装着面になり、この装着を安定且つ強固にするため、平坦な幅広い面を有している。装着部５ｂには、４本のボルト６２，６２・・を挿通させる横長（前後方向に長い）の２本の平行な長孔５ｄ、５ｄが形成されている。
【００４０】
＝長柄装着部材６１＝
長柄装着部材６１は、被装着部６１ａになる一端部が、前後方向及び上下方向に長い幅広面を有し、他端部に前記長柄の前端近傍部に取り付ける取り付け部の１形態である右側挾着部６１Ｒが一体となって設けられており、側面視すると、２個所で屈曲したアーム板形状を有しており、被装着部６１ａの装着面には、縦長の平行な２本の長孔６１ｂ、６１ｂが形成されている。右側挾着部６１Ｒは、左側挾着部材６１Ｌと一対となって、長柄４１を左右方向から挟み付ける。右側挾着部６１Ｒと左側挾着部材６１Ｌは、長柄４１の外周面に沿う円弧面と上下２個所のボルト装着部で構成されている。右側挾着部６１Ｒと左側挾着部材６１Ｌとによる長柄４１の挟み付けでは、２本のボルト６４，６４と、２個のナット６５，６５が用いられる。
【００４１】
上述した長柄装着部材６１の形状及び、右側挾着部６１Ｒと左側挾着部材６１Ｌとによる挟み付け構造は、好適とされる取り付け部の１形態であり、本発明を限定するものではない。長柄装着部材６１の長柄４１側に向けた他端部を、直接、又は、長柄４１の曲面に沿う面を有する部材を介して、長柄４１にビス留めして取り付けるようにしてもよい。
【００４２】
＝長柄装着部材６１を介した刈払装置ヘッド１の取り付け構造＝
図１１に示すように、接続部材７０を介して出力軸５１と入力軸２０とを接続させ、長柄装着部材６１を介して刈払作業装置ヘッド１を長柄４１に取り付けると、この接続と取り付けという２個所で刈払作業機ヘッド１が長柄４１に支持される。このため、安定した支持になる。
【００４３】
とくに、縦横各２本の長孔６１ｂ、６１ｂ、５ｄ、５ｄを井桁状（格子状）に組み合わせて、４本のボルト６２，６２・・と４個のナット６３，６３・・を用いて、刈払装置ヘッド１側の装着部５ｂと長柄装着部材６１側の被装着部６１ａとを装着させる構造は、長柄装着部材６１の上下高さの調整、前後位置の調整、若干の上下回動角の調整等を行った装着が行える。これらの調整は長柄４１の傾斜角に若干違いがある場合や、ケース部５０の上下高さが異なっている場合にも対応できる。また、長柄装着部材６１により長柄４１を装着した状態で、上述した動力接続のための操作が行える。
【００４４】
また、４本のボルト６２，６２・・を２本ずつ、出力軸５１と入力軸２０の軸芯Ｐと平行となる接続位置の後方で、前後に間隔を設けてボルト留めする装着構造は、強固で安定した装着になる。
【００４５】
＜取り付け後の全体形状＞
以上のようにして回転動力の接続と刈払装置ヘッド１を長柄４１に取り付けると、図１２に示すようになる。
【００４６】
＜刈払装置ヘッド１内の動力伝達構造＞
図１３（ａ）（ｂ）に刈払装置ヘッド１内の動力伝達構造が示されている。
図１３（ａ）（ｂ）に示すように、入力軸２０の駆動による回転は、ハウジング２内において、入力軸２０に装着されている小径平歯車２１と噛合する大径平歯車１０との歯車組による減速回転を経て中間軸１１に伝達される。そして、中間軸１１に装着されている中間平歯車１２と出力軸１５に装着されている（下部側の）大径平歯車１７との歯車組により更に減速回転されて、上部側の回転刃３１を回転させる。
【００４７】
また、中間平歯車１２の回転は、中間軸１４に装着されている逆転平歯車１３に伝達されて、（上部側の）大径平歯車１６を逆回転方向に減速回転させ、下部側の回転刃３２を逆回転させる。
このように２枚の回転刃３１、３２を互いに逆回転させると、前述した小石、砂粒、土等の飛散が生じない。
【００４８】
図１４Ａ〜図１４Ｄに、接続部材７０と入力軸２０の上部２０ｂの各形状例と、各接続構造例が示されている。接続部材７０と入力軸２０の上部２０ｂの形状、及び接続構造は、以下のものであってもよい。
【００４９】
図１４Ａの（ａ）（ａ１）に示す接続部材７０と入力軸２０は、スパナ工具の口を当て易くする上下高さのある操作部７０ｃ，２０ｃが設けられている。
【００５０】
図１４Ａの（ｂ）に示す接続部材７０と入力軸２０は、スパナ工具の口を当てる操作部７０ｃ，２０ｃが、平面視八角形を有している。
【００５１】
図１４Ｂの（ｃ）に示す接続部材７０と入力軸２０は、スパナ工具の口を当てる操作部７０ｃ，２０ｃが、平面視四角形を有している。
【００５２】
図１４Ｂの（ｄ）に示す接続部材７０と入力軸２０は、操作部７０ｃ，２０ｃが、滑り止めの凹凸がある円形を有している。
【００５３】
図１４Ｂの（ｅ）に示す接続部材７０と入力軸２０は、円形操作部７０ｃ，２０ｃの外周面に、掛回し工具Ｓ３，Ｓ３の先端部を掛け止める、複数の掛止め部７０ｇ，２０ｇが設けられている。
【００５４】
図１４Ｃの（ｆ）（ｆ１）に示す接続部材７０は、内ねじを有するねじ筒部７０ｂを有し、入力軸２０は、外ねじを有するねじ溝２０ｅを有し、ねじ筒部７０ｂと２０ｅは、互いに深くねじ嵌合する大きさを有している。また、入力軸２０側の操作部２０ｃは平行な２面取りした形状を有している。
【００５５】
図１４Ｃの（ｇ）（ｇ１）に示す接続部材７０は外面スプライン形状を有する筒部７０ｈを有し、入力軸２０は、内面スプライン形状を有する上部２０ｂを有し、筒部７０ｈと上部２０ｂは互いに深くスプライン嵌合する大きさを有している。
【００５６】
図１４Ｃの（ｈ）（ｈ１）に示す接続部材７０は、角穴と角軸部とが連れ回り可能に係合し、不要な抜け外れを防止する金属球８０をばね８１で付勢したデテントボール機構を備えている。
【００５７】
図１４Ｄの（ｉ）（ｉ１）に示す接続部材７０と入力軸２０は、対向した向きで当接するフランジ部７０ｊ，２０ｈを有しており、フランジ部７０ｊ，２０ｈは、太軸ピン８３の突入と、クランプ部材８４とによって、連れ回り可能に組み付けられるように構成されている。
【００５８】
図１４Ｄの（ｊ）（ｊ１）に示す接続部材７０と入力軸２０は、対向した向きで当接するフランジ部７０ｊ，２０ｈを有しており、フランジ部７０ｊ，２０ｈは、挿通したボルト８５とナット８６との締結により、連れ回り可能に組み付けられるように構成されている。
【産業上の利用可能性】
【００５９】
本発明に係る作業装置ヘッドは、農業用具、清掃用具等の多くの産業分野で利用価値があり、刈払装置ヘッドは園芸、農業、清掃等多くの産業分野で利用価値がある。
【符号の説明】
【００６０】
１    刈払装置ヘッド
２    ハウジング
３    ハウジング本体
４    底板
５    マウント部材
５ａ  蓋部
５ｂ  装着部
５ｄ  長孔
１０    大径平歯車
１１    中間軸
１２    中間平平歯車
１３    逆転平歯車
１４    中間軸
１５    出力軸
１６    大径平歯車
１７    大径平歯車
２０    入力軸
２０ａ  軸部
２０ｂ  上部
２０ｃ  操作部
２０ｄ  開口部
２０ｅ  ねじ溝
２０ｆ  円形フランジ部
２０ｇ  掛止め部 
２０ｈ  フランジ部 
２０ｉ  各軸部
２１    小径平歯車
３０    回転刃
３１    回転刃
３２    回転刃
４０    原動機付き長柄
４１    長柄
４２    原動機
４４    駆動軸
４５    原動機付き長柄の前端部
４７    出力側傘歯車
５０    ケース部
５１    出力軸
５１ａ  出力軸先端部
５１ｂ  外ねじ
５２    入力側傘歯車
５３    回転板
５３ａ  突出部
５４    ボルト
５５    ワッシャー
５６    ローラー（安定板）
５７    ナット
６０    長柄装置ユニット
６１    長柄装着部材
６１ａ  被装着部
６１ｂ  長孔
６１Ｒ  右側挾着部
６１Ｌ  左側挾着部材
６２    ボルト
６３    ナット
６４    ボルト
６５    ナット
７０    接続部材
７０ａ  上板部
７０ｂ  ねじ筒部
７０ｃ  操作部
７０ｄ  開孔部
７０ｅ  ねじ溝
７０ｇ  掛止め部
７０ｈ  筒部
７０ｉ  角穴
７０ｊ  フランジ部
８０    金属球
８１    ばね
８３    太軸ピン
８４    クランプ部材
８５    ボルト
８６    ナット
１００    回転ブラシ装置ヘッド
２００    ブロワ装置ヘッド
３００    片刃バリカン装置ヘッド
４００    両刃バリカン装置ヘッド
Ｄ    段差
Ｐ    軸芯
Ｓ１  スパナ工具
Ｓ２  スパナ工具
Ｓ３  掛回し工具
【図１】
2017018050.tif 000003
【図２】
2017018050.tif 000004
【図３】
2017018050.tif 000005
【図４】
2017018050.tif 000006
【図５】
2017018050.tif 000007
【図６】
2017018050.tif 000008
【図７】
2017018050.tif 000009
【図８】
2017018050.tif 000010
【図９】
2017018050.tif 000011
【図１０】
2017018050.tif 000012
【図１１】
2017018050.tif 000013
【図１２】
2017018050.tif 000014
【図１３】
2017018050.tif 000015
【図１４Ａ】
2017018050.tif 000016
【図１４Ｂ】
2017018050.tif 000017
【図１４Ｃ】
2017018050.tif 000018
【図１４Ｄ】
2017018050.tif 000019